(57)【特許請求の範囲】
【請求項１】
照明光を導光するライトガイドファイバを有する内視鏡本体と、前記内視鏡本体に着脱自在で、前記ライトガイドファイバの光入射端部に照明光を供給するバッテリ型光源とを有する内視鏡において、
前記バッテリ型光源のバッテリ収納蓋がバッテリ型光源本体に水密的に取り付けた装着状態の時のみ前記バッテリ型光源が前記内視鏡本体に接続・固定される接続機構を設けたことを特徴とする内視鏡。
【発明の詳細な説明】
【０００１】
【発明の属する技術分野】
本発明は携帯使用に適し、バッテリ型光源により照明可能にした内視鏡に関する。
【０００２】
【従来の技術】
医療用分野及び工業用分野で広く用いられるようになった内視鏡は、診断或いは検査対象部位は生体、プラント等の内部であるので、照明する手段が必要であり、一般的に内視鏡外部の光源装置内のランプからの照明光を内視鏡に設けたライトガイドファイバで導光し、この導光した照明光を挿入部の先端側の照明窓から出射し、診断或いは検査対象部位を照明する構成となっている。
【０００３】
また、光源装置は一般的には商用電源から供給される電源を利用して光源装置内部のランプを発光させる。これに対し、例えば特願平８−３９７３９号では電源に乾電池等のバッテリを使用したバッテリ型光源が内視鏡本体の操作部に着脱自在で取付けるようにした内視鏡を提案している。
【０００４】
また、内視鏡は内視鏡検査に使用された後は、消毒液中に浸漬する等して消毒処理されるので、上記内視鏡においてもバッテリ収納室などをＯリングで水密に保つ構造にしている。
このようなバッテリ型光源を採用した内視鏡は携帯性に優れている。
【０００５】
【発明が解決しようとする課題】
しかしながら、この内視鏡ではバッテリ収納室が完全に水密を保った状態に設定されていない状態で使用された後、消毒液中に浸漬されてしまうような場合にはバッテリ収納室内のバッテリを漏電状態にしたり、バッテリ収納室内の電極を腐食させて接触不良などにより点灯を不完全にする等の可能性がある。
【０００６】
本発明は上述した点に鑑みてなされたもので、バッテリ収納室が完全に水密を保った状態でのみ消毒液中に浸漬できる内視鏡を提供することを目的とする。
【０００７】
【課題を解決するための手段】
照明光を導光するライトガイドファイバを有する内視鏡本体と、前記内視鏡本体に着脱自在で、前記ライトガイドファイバの光入射端部に照明光を供給するバッテリ型光源とを有する内視鏡において、
前記バッテリ型光源のバッテリ収納蓋がバッテリ型光源本体に水密的に取り付けた装着状態の時のみ前記バッテリ型光源が前記内視鏡本体に接続・固定される接続機構を設けることにより、内視鏡検査後に引き続いて消毒液中に浸漬して消毒する場合にも、水密状態か否かの確認を行わないで、そのまま消毒液中に浸漬して消毒してもバッテリ収納蓋は水密的な装着状態であるので、漏電させたり、接触不良等を発生することを確実に防止できる。
【０００８】
【発明の実施の形態】
以下、図面を参照して本発明の実施の形態を具体的に説明する。
（第１の実施の形態）
図１ないし図１４は本発明の第１の実施の形態に係り、図１は第１の実施の形態の内視鏡の全体構成を示し、図２は内視鏡本体の先端部を形状等を示し、図３は対物レンズ系の構造を示し、図４は図３の変形例における前レンズ部の構造を示し、図５はバッテリ型光源を装着した装着状態でのライトガイド口金及びバッテリ型光源の構造を示し、図６（Ａ）、（Ｂ）、（Ｃ）は図５のＡ−Ａ線、Ｂ−Ｂ線、Ｃ−Ｃ線断面をそれぞれ示し、図７は内視鏡本体のライトガイド口金にバッテリ型光源を装着する様子を示し、図８（Ａ）、（Ｂ）は図７のＥ−Ｅ線、Ｆ−Ｆ線断面をそれぞれ示し、図９は内視鏡本体のライトガイド口金にバッテリ型光源を装着した状態を示し、図１０及び図１１はランプホルダ取付位置及び取り外し位置を示し、図１２はランプホルダの展開図を示し、図１３は挿入部を狭い管腔内に挿入して観察する様子を示し、図１４は湾曲部の保護チューブの作用の説明図を示す。
【０００９】
図１に示すように本発明の第１の実施の形態の内視鏡１は水密構造の内視鏡本体２と、この内視鏡本体２に着脱自在で接続される水密構造のバッテリ型光源３と、バッテリ型光源３と選択的に内視鏡本体２に着脱自在で接続されるライトガイドケーブル４とからなる。
【００１０】
この内視鏡本体２は、細長の挿入部５と、この挿入部５の後端に形成された操作部６と、この操作部６の後端に形成された接眼部７と、操作部６の側部に突設されたライトガイド口金８とからなり、このライトガイド口金８の端部にバッテリ型光源３の接続ソケット９を着脱自在で接続できる。
【００１１】
挿入部５は、その先端に形成された先端部１０と、この先端部１０の後端に形成され、湾曲自在の湾曲部１１と、湾曲部１１の後端から操作部６の前端まで形成された可撓性を有する可撓部１２とからなる。
【００１２】
操作部６には術者が把持する把持部１３と、その後端側に湾曲操作レバー１４が設けてあり、この湾曲操作レバー１４を回動操作することにより湾曲部１１を湾曲することができる。また、この操作部６には吸引を行う吸引ボタン１５と、この吸引ボタン１５の基端付近から突出するように吸引口金１６とが設けてあり、吸引口金１６は図示しないチューブを介して吸引装置に接続され、吸引ボタン１５を操作することにより吸引チャンネルに連通する吸引口金１６を介して体液などを吸引することができる。
【００１３】
また、操作部６の前端側には鉗子などの処置具を挿入する鉗子挿入口１７が形成され、この鉗子挿入口１７は内部で吸引チャンネル１８（図２でその先端開口を示している）に連通している。この鉗子挿入口１７には通常鉗子栓１９が取付けられている。
【００１４】
上記挿入部５内には照明光を導光（伝送）するライトガイドファイバ２１が挿通され、このライトガイドファイバ２１の後端側は操作部６を経てその後端がライトガイド口金８内で固定され、図５に示すようにこのライトガイド口金８にバッテリ型光源３を装着状態に接続することにより、バッテリ型光源３内部に装着されたランプ２２を発光させた場合には、このランプ２２からの照明光がライトガイド口金８のライトガイドファイバ２１の光入射端面に供給される。
【００１５】
供給された照明光はライトガイドファイバ２１により導光され、図２に示すように先端部１０の照明窓に固定された先端面、つまり光出射端面２３から前方に出射され、患部などの被写体を照明する。
【００１６】
照明された被写体は照明窓に隣接する観察窓に取り付けた対物レンズ系２４によりその結像位置に光学像を結ぶ。この結像位置には図３に示すようにイメージガイドファイバ２５の先端面が配置され、結像された光学像を接眼部９側の端面に伝送する。伝送された光学像は接眼部７の接眼窓に取り付けられた接眼レンズを介して拡大観察することができる。
【００１７】
本実施の形態では図２に示すように先端部１０は、先端側が基端側の外径より細くなるように細径部１０ａが形成され、この細径部１０ａの中心Ｏａは先端部１０の基端側の中心Ｏｂから一方に（例えば湾曲部１１を上側に湾曲させた場合の上方向に）ずれるように偏心して形成され、さらに、対物レンズ系２４の光軸が基端側中心Ｏｂより、一方に（上方向に）偏心するよう対物レンズ系２４が前記細径部１０ａの先端面に配置され、対物レンズ系２４の周囲には例えば３つの光出射端面２３が設けられている。
【００１８】
このような構造にすることにより、図１３に示すように、挿入部５の先端側を細い体腔内に挿入したような場合、（従来例では偏心していない同心的に細径部１０ａが形成され対物レンズ系２４が基端側の中心Ｏｂ近くに配設されるため近点側は当距離のリング形状部分となり、その部分よりも近点側を観察できなかったが、本実施の形態では）偏心した側ではより近い近点部分Ｐａが観察できる。この場合、偏心した側と反対側では遠点Ｐｂ側が観察できる。
【００１９】
従って、細径部１０ａにより挿入が容易であると共に、より接近して詳細に観察したい内壁部分に対しては、挿入部５を回転して近点Ｐａ側に設定すれば詳細に観察できる。
【００２０】
また、本実施の形態では図３に示すように対物レンズ系２４はレンズ枠２６を介して取り付けられる前レンズ部２７ａ，２７ｂと、対物窓の内壁に直接固定される後レンズ部２７ｃとからなる。
【００２１】
前レンズ部２７ａは円筒形状のレンズ枠２６にレンズ外周面全周にわたり水密的に接着固定され、前レンズ部２７ｂは前記レンズ枠２６にレンズ外周面全周或いは部分的な接着（例えば３点接着）により固定される。
【００２２】
さらに、このレンズ枠２６の外周面には雄ネジ部２８が設けられ、先端部１０の観察窓の先端側の内周面に設けた雌ネジ部に螺合させることにより先端部１０に水密的に固定される。また、このレンズ枠２６の先端面にはこのレンズ枠２６を固定或いは取り外しの際に着脱用工具を取り付けるための嵌合穴２９が設けてある。
【００２３】
このような構造にすることによって、対物レンズ系２４の特に前レンズ部２７ａとレンズ枠２６との接着層の境界から湿気が侵入し、前レンズ部２７ａと２７ｂの空隙部にたまり、不鮮明な像になるような場合にはレンズ枠２６を取り外して、新しい曇っていない前レンズ部２７ａ，２７ｂを取り付けたレンズ枠２６を取り付けることにより、湿気等による影響を解消できる。
【００２４】
また、先端部１０とレンズ枠２６の螺合部から湿気が侵入し、前レンズ部２７ｂと後レンズ部２７ｃの空隙部にたまった場合も上記のようにレンズ枠２６を先端部１０から取り外して、前記空隙部の曇りを除去することができる。
従って、湿気等による影響を簡単に解消できると共に、修理にかかる費用を大幅に低減できる。
【００２５】
なお、図４に示すようにレンズ枠２６の側方から２つの前レンズ部２７ａ，２７ｂの間の空隙部に外部と連通する孔を設けて、取り外し可能な接着剤等の充填剤３０を充填した構造にしても良い。
【００２６】
このような構造にすることにより、再利用することができる。曇ったような場合にはそのレンズ枠２６を取り外し、さらに充填剤３０を取り外して内部の曇りを（乾燥容器等に入れて乾燥させる等して）除去した後、このレンズ枠２６の孔に充填剤３０を入れて再び先端部１０に取付けることにより、曇りのない状態に設定することができる。この構造の場合には図３の構造よりも、さらに低コスト化できる。
【００２７】
なお、図１に示すように内視鏡本体２は例えば鉗子挿入口１７と反対側の位置に通気口金３１が突設されており、この通気口金３１から内視鏡本体２内部に空気を送ることができ、内視鏡本体２の水漏れの検査を行うことができるようにしている。
【００２８】
図１に示すように上記ライトガイド口金８にはライトガイドファイバが挿通されたライトガイドケーブル４の前端のケーブルコネクタ４ａを接続することができるようにケーブルコネクタ螺合ネジ３２が設けてある。
【００２９】
また、このライトガイドケーブル４の後端のライトガイドコネクタ４ｂは、図示しない既存の光源装置に接続することができ、接続することによって光源装置内部のランプから照明光がライトガイドコネクタ４ｂに供給される。そして、ライトガイドケーブル４内のライトガイドファイバを介して導光された照明光を、内視鏡本体２側のライトガイドファイバ２１に導光できるようにしている。
【００３０】
ライトガイド口金８に接続可能な接続ソケット９を設けたバッテリ型光源３はほぼ三角柱形状のバッテリ型光源本体（以下、単に本体と略記）３４を有し、その上部側の位置に貫通孔を設けて一方の開口端側に接続ソケット９を固定し、他方の開口端からランプ２２を取り付けたランプホルダ３５を装着できるようにしている。
【００３１】
また、図６等に示すようにこのバッテリ型光源３の本体３４の底面側には例えば２つのバッテリ３６を収納するバッテリ収納部３７が設けられている。図５或いは図７等に示すようにこのバッテリ収納部３７は接続ソケット９側にバッテリ３６を着脱自在とする着脱口が形成され、この着脱口は水密的に取付け可能なバッテリ収納蓋３８で閉じるようになっている。
【００３２】
図５は内視鏡本体２のライトガイド口金８にバッテリ型光源３を装着し、点灯状態に設定したバッテリ型光源３付近の詳しい構造を示す。
バッテリ型光源３の本体３４はランプ２２の発熱にも耐え得る絶縁部材で形成され、この本体３４には貫通孔によりランプホルダ３５を収納するランプホルダ収納部３９が形成され、このランプホルダ収納部３９の後端側からランプ２２を取り付けたランプホルダ３５が装着され、ランプ２２に対向する前部側に略円筒形状の接続ソケット９が水密的に取り付けられている。
【００３３】
本体３４の後端にはスイッチケース４１がＯリング４２を介挿して水密的に取り付けられている。このスイッチケース４１の上端側に設けたランプホルダ挿入孔４３にランプホルダ３５を後述するようにコイルバネ４８の付勢力に抗して前側に押しつけるように挿入することによりランプホルダ収納部３９にランプホルダ３５を装着できるようにしている。
【００３４】
このランプホルダ３５はほぼ円柱形状で、その前部側の凹部にネジ穴を設けてランプ２２が螺合により着脱自在で装着されるランプ装着部材４５を取り付けている。
【００３５】
また、ランプホルダ収納部３９内にはリフレクタ４６が収納され、このリフレクタ４６は螺合により円筒形状のバネ押さえ部材４７と螺合し、このバネ押さえ部材４７の後端は本体３４に螺合により固定されている。このバネ押さえ部材４７の内周側にコイルバネ４８が配置され、このコイルバネ４８の胴体部より外径が大きく成形された前記コイルバネ４８の前側端部はリフレクタ４６とバネ押さえ部材４７とで挟み付けるようにして固定されている。このコイルバネ４８は常時ランプ装着部材４５を後方側に付勢している。なお、コイルバネ４８の後端側に図示された破線は、コイルバネ４８の自然長を示している。
【００３６】
また、スイッチケース４１からランプホルダ挿入孔４３側に突出するように接点ピン４９が設けられ、ランプホルダ３５に設けた周回溝５１に係入できるようにしている。そして、ランプホルダ３５をコイルバネ４８の付勢力に抗して前方側に挿入し、接点ピン４９を周回溝５１に係入させることにより、ランプホルダ３５を装着状態に設定できるようにしている。
【００３７】
また、ランプホルダ３５の外周面には周溝を設け、Ｏリング５２を収納し、装着状態ではＯリング５２はランプホルダ挿入孔４３と圧接し、水密を保持できる構造にしている。
【００３８】
このランプホルダ３５にはランプ２２の後端の電極に接触するランプ接点板５３が固定ピン５４で固定されている。この固定ピン５４は、図５に示す点灯状態ではスイッチケース４１側に取り付けた接点ピン４９と接触して電気的に導通する。
【００３９】
この接点ピン４９は図６（Ｃ）に示すように板バネ５５の一端に固着され、この板バネ５５の他端はビス５６でスイッチケース４１に固定されている。そして、板バネ５５の一端に取り付けた接点ピン４９は板バネ５５の弾性力で、ランプホルダ挿入孔４３側に突出するように付勢されている。
また、板バネ５５の他端は配線５７を介して図６（Ｂ）の円錐バネ受け部材５８にナットで固定された配線板５９に接続されている。
【００４０】
この配線板５９はバッテリ収納部３７側に突出する円錐バネ６１の後端と電気的に導通し、この円錐バネ６１の前端はバッテリ３６の一方の電極と接触し、電気的に導通する。
【００４１】
このバッテリ３６の他方の電極は図５に示すようにバッテリ収納蓋３８に固定した接点ビス６２と電気的に導通する。この接点ビス６２は隣接する接点ビスと導通し、この接点ビスは隣接して収納されるバッテリ３６の一方の電極と導通しこのバッテリ３６の他方の電極は図６（Ｂ）に示すように円錐バネ６１を介してナットに一端が接続された配線板６３の一端と導通する。
【００４２】
この配線板６３の他端は図５に示すようにＬ字状に折り曲げられて前方に延出され、ランプホルダ収納部３９の下端の位置でリフレクタ４６に接触するようにしている。そして、このリフレクタ４６はコイルバネ４８、ランプ装着部材４５を介してランプ２２の側部側の電極と導通するようになっている。
【００４３】
また、後述するようにこのランプホルダ３５を回動することにより、消灯状態となるランプホルダ取付位置（図１０参照）と、ランプホルダ取り外し位置（図１１参照）に設定することができる。
【００４４】
一方、ランプ２２の前部には接続ソケット９の後端開口が位置し、この後端開口にはランプ２２の光を集光する集光レンズ６５が水密用のＯリング６６を介挿してレンズ保持部材６７で螺合により締め付け固着され、この接続ソケット９の基端はその外周面に設けたネジ部６８をランプホルダ収納部３９の先端内周面のネジ穴に螺合により取り付けられ、さらにその前部に水密用のＯリング６９を介挿して水密構造にしている。
【００４５】
また、図５に示すように接続ソケット９により形成されたほぼ円柱形状の凹部には内視鏡本体２のライトガイド口金８が装着される。このライトガイド口金８の先端には保護用のカバーガラス７１が水密用のＯリング７２を介挿した状態で固定リング７３で固定されている。この固定リング７３の基端側にも水密用のＯリング７４を介挿して水密を確保している。
【００４６】
カバーガラス７１で保護されたその内側にライトガイドファイバ２１の手元側端部、つまり光入射端部がネジでその口金部分を固定している。このライトガイド口金８の後端は操作部６に操作部側面カバー７６を固定しているライトガイド口金受け部材７７に螺合により取り付けられ、Ｏリング７８で水密を確保している。また、操作部側面カバー７６もＯリング７９を介挿して水密を確保している。
【００４７】
このライトガイド口金受け部材７７の外周面には周溝が形成され、クリックリング８１が環装され、一方このクリックリング８１が係合する位置の接続ソケット９の内周面にはクリック凸部８２が形成されている。そして、クリックリング８１がクリック凸部８２を乗り越えて接続ソケット９にライトガイド口金８が装着された場合には、接続ソケット９のテーパ内周面９ａにライトガイド口金８のテーパ外周面が当接するように設定している。
【００４８】
また、ライトガイド口金受け部材７７の外周面には周溝が形成され、Ｏリング８３を環装して水密を確保している。
【００４９】
また、本体３４における接続ソケット９の下側のバッテリ収納部３７の着脱口を閉じるためのバッテリ収納蓋３８の下端寄りの位置にはねじ込みロッド８５が突出するように固着され、その先端のネジ部を本体３４に設けたロッド受け部材８６の雌ネジ部に螺合により取り付けられるようにしている。このねじ込みロッド８５の基端はバッテリ収納蓋３８の外面側に突出し、円板形状の蓋固定ダイヤル８７がネジで固定されている。なお、ねじ込みロッド８５にも周溝を設けて水密用のＯリング８８を収納し、水密を確保している。
【００５０】
そして、この蓋固定ダイヤル８７を回転してねじ込みロッド８５をロッド受け部材８６にネジ込むことにより、バッテリ収納蓋３８を着脱口に嵌入させて水密的に取り付けられるようにしている。なお、このバッテリ収納蓋３８の外周面に設けた周溝には水密用のＯリング８４を収納して水密を確保してある。
【００５１】
また、図８（Ｂ）に示すようにこの蓋固定ダイヤル８７が取り付けられる部分に対向するバッテリ収納蓋３８の外側の面は一部がほぼ半円形状に切り欠かれている。
【００５２】
また、蓋固定ダイヤル８７に対向する内視鏡本体２の部分も切り欠かれて凹部が形成されている。具体的には図８（Ａ）に示すように操作部側面カバー７６には突出する蓋固定ダイヤル８７がはまり込むほぼ半円形状の切り欠き（凹部）を設けてダイヤル係入部８９を形成している。
【００５３】
そして、バッテリ収納蓋３８が水密的に取り付けられた状態でバッテリ型光源３が内視鏡本体２に装着された場合には図５に示すようにこのダイヤル係入部８９内に蓋固定ダイヤル８７がはまり込んで係合するようにしている。
【００５４】
このダイヤル係入部８９の切り欠きは内視鏡本体２にバッテリ型光源３を装着する場合の位置合わせの機能も兼ねている。つまり、ライトガイド口金８に接続ソケット９を装着して内視鏡本体２にバッテリ型光源３を装着（接続・固定）する場合、ダイヤル係入部８９の位置に蓋固定ダイヤル８７を位置合わせして装着する操作を行うことにより、装着が可能となる。
【００５５】
また、図５に示すようにバッテリ収納蓋３８が水密的にバッテリ型光源３に取り付けられた状態、つまり蓋固定ダイヤル８７を十分に回転して確実に装着した状態で、クリックリング８１をクリック凸部８２が乗り越えるように接続・固定した場合に、ダイヤル係入部８９の切り欠き面に蓋固定ダイヤル８７が殆ど接触する状態となるようにダイヤル係入部８９の切り欠きと蓋固定ダイヤル８７の凸部を設定して互いに係合するようにしている。
【００５６】
そして、バッテリ収納蓋３８が水密的にバッテリ型光源３に取り付けられていない状態では、クリックリング８１をクリック凸部８２が乗り越えて装着状態になる前に、蓋固定ダイヤル８７がダイヤル係入部８９の切り欠き面に当接してしまい、装着状態に設定できないようにしていることが特徴となっている。
【００５７】
図１０はランプホルダ３５をバッテリ型光源３に装着した時のランプホルダ取付状態を示す。
ランプホルダ３５の外周面にはＣ字形状の周回溝５１が設けてあり、図１０に示すような取付位置に対応する周回溝５１部分に隣接する前端側はテーパ状に切り欠かれて、取付用のスロープ部９０が設けてある。
【００５８】
ランプホルダ３５をランプホルダ挿入孔４３外部からバッテリ型光源３に装着する際、指標（図７、図９参照）に合わせる位置合わせを行った後、この位置合わせ状態で押し込めば、コイルバネ４８の付勢力を受けながらバッテリ型光源３のランプホルダ収納部３９内に押し込むことができ、この際スロープ部９０は接点ピン４９を乗り越えた後、接点ピン４９は周回溝５１に係入して図１０に示すように係止（装着）される。
【００５９】
この状態では、固定ピン５４は接点ピン４９と接触していないので、ランプ接点板５３と接点ピン４９とは導通せず、ランプ２２は点灯しない。つまり、スイッチＯＦＦの状態に対応する。
【００６０】
図５はランプ２２の点灯状態を示した図である。図１０の状態で、ランプホルダ３５を９０°回転させて、図示しない点灯位置を示す指標の位置に設定することによって、図５に示すように接点ピン４９と周回溝５１上に設けた固定ピン５４とが接触する状態となり、ランプ２２は電源となるバッテリ３６と電気的に導通し、ランプ２２は点灯する。つまり、スイッチＯＮの状態に対応する。
【００６１】
図１１はランプホルダ３５を取り外す位置の図である。図５の状態において、ランプホルダ３５を逆向きに１８０°回転すると、図１１に示すように周回溝５１の前側壁をテーパ状に切り欠いて形成したスロープ部９１が設けられた部分に接点ピン４９が位置し、この状態ではこのスロープ部９１により接点ピン４９の係止を解除した状態となり、コイルバネ４８の付勢力により接点ピン４９は後方側の方に押され、スロープ部９１は接点ピン４９を乗り越えてバッテリ型光源３の外に出るようになる。つまり、この状態は取外し位置に対応する。
【００６２】
図１２はランプホルダ３５の外周面に形成したスイッチ機構を形成する周回溝５１の展開図を示すものである。ランプホルダ３５の取付位置と点灯位置と取外し位置での形状を示している。取付位置の状態において、ランプホルダ３５をバッテリ型光源３に押し込むと、ランプホルダ３５は固定（装着）される。その状態から９０°回転させると点灯し、さらにその状態から１８０°回転させると取外し位置になる。
【００６３】
取付位置から取外し位置に移動するときに、簡単に取外し位置まで回転しないようストッパ９２が設けられており、取外しの場合にはコイルバネ４８の力に対抗し、ランプホルダ３５を押し込みながら回転させなければならないようになっている。従って、通常使用時、ランプ２２の点灯、消灯を行っても不用意にランプホルダ３５がバッテリ型光源３から外れないようになっている。
【００６４】
なお、本実施の形態における内視鏡本体２の湾曲部１１を覆う保護チューブが形状記憶ゴム９３で形成され、この形状記憶ゴム９３は円筒形状を保持するように形状記憶処理されている。
【００６５】
従って、図１４（Ａ）に示すように例えばこの形状記憶ゴム９３部分に針９４が突き刺さってこの針９４を除去した場合に図１４（Ｂ）に示すようにピンホール９５が出来ても、形状記憶効果により、このピンポール９５は図１４（Ｃ）に示すように解消される。
【００６６】
次に本実施の形態の作用を説明する。
内視鏡検査を行う環境が例えば、既存の光源装置が設置されている場所から離れているなど、既存の光源装置を使用することが困難な場合には、内視鏡本体２にバッテリ型光源３を接続して使用する。
【００６７】
この場合、バッテリ型光源３のバッテリ収納部３７の着脱口にバッテリ収納蓋３８を嵌合させるようにして、蓋固定ダイヤル８７を回転させて確実に取り付けて、水密的な取付状態、或いは装着状態にする。この状態にして、図７に示すように内視鏡本体２のライトガイド口金８部分に接続ソケット９を嵌め、さらにダイヤル係入部８９に蓋固定ダイヤル８７が対向する位置に設定して、矢印で示すようにバッテリ型光源３側を内視鏡本体２側に押し込む。
【００６８】
すると、図９に示すようにダイヤル係入部８９に蓋固定ダイヤル８７が係入されて、ライトガイド口金８のクリックリング８１を接続ソケット９のクリック凸部８２が乗り越えると、ライトガイド口金８のテーパ外周面に接続ソケット９の内周面９ａが当接し、クリック感を伴って装着（接続・固定）することができる。
【００６９】
この状態では図５に示すように蓋固定ダイヤル８７はダイヤル係入部８９の切り欠き面に殆ど接触する状態になる。
【００７０】
この状態で、ランプホルダ３５を９０°回転してランプ２２を点灯させ、内視鏡検査を行うことができる。検査が終了して、内視鏡本体２を検査対象部位から引き出した後、ランプホルダ３５を９０°回転してランプ２２を消灯する等すれば良い。
【００７１】
内視鏡検査後に消毒を行う場合には、バッテリ型光源３が装着された状態で、消毒液中に浸漬すれば、内視鏡本体２及びバッテリ型光源３も水密状態であるので、消毒を行うことができる。
【００７２】
一方、バッテリ型光源３のバッテリ収納部３７の着脱口にバッテリ収納蓋３８を水密的な取付状態に設定しないで、不十分な取付状態であると、水密的な取付状態の場合よりも、蓋固定ダイヤル８７は内視鏡本体２側に突出する。
【００７３】
このため、ライトガイド口金８のクリックリング８１を接続ソケット９のクリック凸部８２が乗り越える前に蓋固定ダイヤル８７がダイヤル係入部８９の切り欠き面に当たってしまい、ライトガイド口金８にバッテリ型光源３を装着できない。
【００７４】
このため、バッテリ型光源３が不十分な取付状態（つまり、バッテリ収納蓋３８が水密的に装着・固定されていない状態）のまま、内視鏡検査を行ってしまうことを防止でき、内視鏡検査後に不十分な取付状態のまま、消毒液に浸漬してしまうことを確実に防止できる。
【００７５】
本実施の形態によれば、バッテリ型光源３のバッテリ収納蓋３８をバッテリ型光源本体に水密的に装着・固定した場合のみ、内視鏡本体２にバッテリ型光源３を確実に装着できるので、内視鏡検査後には、そのまま消毒液中に浸漬して消毒することができる。
【００７６】
このため、バッテリ型光源３のバッテリ収納蓋３８をバッテリ型光源本体に水密的に取り付けていない状態で内視鏡検査を行うことを防止できるし、その場合に消毒液に浸漬してバッテリ３６を漏電状態にするなどの不都合を確実に防止できる。
【００７７】
本実施の形態では上記のようにバッテリ型光源３のバッテリ収納蓋３８をバッテリ型光源本体に水密的に取り付けていない状態で内視鏡検査を行うことを防止できる。つまり、水密的な取付状態に設定しないで、内視鏡検査を行った場合には、バッテリ収納室内部も汚染される可能性が発生するので、そのような場合にはバッテリ収納室内部も消毒しなければならなくなが、本実施の形態ではそのような不便を確実に防止できる。
【００７８】
（第２の実施の形態）
次に本発明の第２の実施の形態を図１５を参照して説明する。本実施の形態はバッテリ型光源のバッテリ収納蓋がバッテリ型光源本体に水密的に取り付けた装着状態の時のみ前記バッテリ型光源を点灯状態に設定可能である接続機構を設けたものである。
【００７９】
本実施の形態は例えば図５において、以下のような接続機構を設けて図１５に示す構造にした。つまり、図５における絶縁部材で形成された本体３４の着脱口の内周面における深部側の位置に金属などの接続リング９７が設けられ、一方この着脱口に嵌合して取り付けられる絶縁部材で形成されたバッテリ収納蓋３８における外周面の２箇所に接点３８ａ，３８ｂが設けられ、これら接点３８ａ，３８ｂはそれぞれ接点ビス６２と配線されている。
【００８０】
なお、第１の実施の形態では２つの接点ビス６２は互いに導通していたが、本実施の形態では電気的に非導通で、接点３８ａ，３８ｂが接続リング９７に接触することにより、電気的に導通する。そして、バッテリ収納蓋３８が本体３４に水密的に取り付けられた位置で、接点３８ａ，３８ｂが接続リング９７に接触するようにしている。その他は第１の実施の形態と同様の構成である。
【００８１】
本実施の形態によれば、バッテリ収納蓋３８が本体３４に水密的に取り付けられた状態では、第１の実施の形態で説明したようにランプホルダ３５を回転することにより、スイッチＯＮにしてランプ２２を点灯させたり、スイッチＯＦＦの操作をして消灯させる等することができるが、バッテリ収納蓋３８が本体３４に水密的に取り付けらていない状態では、接点３８ａ，３８ｂが接続リング９７に接触しないため、スイッチＯＮの操作をしてもランプ２２を点灯させることができないようにしている。
【００８２】
つまり、バッテリ収納蓋３８を本体３４に水密的に取り付けた状態に設定しないと、ランプ２２を点灯させることができないので、内視鏡検査を行うことができない。このため結果的には第１の実施の形態と同様に不十分な取付状態で内視鏡検査を行うことを確実に防止でき、さらにその後に誤って消毒液に浸漬させてしまうことも防止できる。
【００８３】
本実施の形態は第１の実施の形態の効果の他に、類似の効果を有する。バッテリ収納蓋３８を本体３４に水密的に取り付けた状態に設定しないと、ランプ２２を点灯させることができないので、内視鏡検査を行うことができない。このため、不十分な取付状態で内視鏡検査を行うことを防止できる。
【００８４】
なお、本実施の形態は第１の実施の形態の構成の内視鏡１に適用する場合に限定されるものでなく、他の構造にも適用しても良い。例えば、特願平８ー３９７３９号におけるバッテリユニット本体４９とケース５１とに接続リング９７と接点３８ａ，３８ｂを設け、接点３８ａ，３８ｂと導通金具５３を２体にして配線する構造にして、バッテリユニット本体４９にケース５１を水密的に取り付けた場合のみ２体にした導通金具５３が互いに導通するようにしても良い。
【００８５】
この構成の場合にも、バッテリユニット本体４９にケース５１を水密的に取り付けた場合のみランプ４１を点灯状態に設定することができ、水密的に取り付けていない場合にはランプ４１を点灯状態に設定できないので、誤って内視鏡検査を行ってしまうことを確実に防止できる。このため、水密的でない不十分な取付け状態で消毒液に浸漬させてしまうことも防止できる。
【００８６】
［付記］
１．照明光を導光するライトガイドファイバを有する内視鏡本体と、前記内視鏡本体に着脱自在で、前記ライトガイドファイバの光入射端部に照明光を供給するバッテリ型光源とを有する内視鏡において、
前記バッテリ型光源のバッテリ収納蓋がバッテリ型光源本体に水密的に取り付けた装着状態の時のみ前記バッテリ型光源が前記内視鏡本体に接続・固定される接続機構を設けたことを特徴とする内視鏡。
【００８７】
２．前記内視鏡本体にバッテリ型光源を接続・固定したとき、バッテリ収納蓋の外装面と内視鏡本体の外表面とがほぼ接触する係合部を設けたことを特徴とする付記１記載の内視鏡。
３．前記内視鏡本体と前記バッテリ収納蓋の係合部は凹凸形状で、互いに嵌合することを特徴とする付記２記載の内視鏡。
４．前記内視鏡本体と前記バッテリ型光源はそれぞれ単独状態でも、それぞれ水密構造であることを特徴とする付記１記載の内視鏡。
【００８８】
５．照明光を導光するライトガイドファイバを有する内視鏡本体と、前記内視鏡本体に着脱自在で、前記ライトガイドファイバの光入射端部に照明光を供給するバッテリ型光源とを有する内視鏡において、
前記バッテリ型光源のバッテリ収納蓋がバッテリ型光源本体に水密的に取り付けた装着状態の時のみ前記バッテリ型光源を点灯状態に設定可能である接続機構を設けたことを特徴とする内視鏡。
（付記５の目的）バッテリ型光源のバッテリ収納蓋がバッテリ型光源本体に水密的に取り付けた装着状態の時のみ内視鏡検査ができる内視鏡の提供。
【００８９】
【発明の効果】
以上説明したように本発明によれば、照明光を導光するライトガイドファイバを有する内視鏡本体と、前記内視鏡本体に着脱自在で、前記ライトガイドファイバの光入射端部に照明光を供給するバッテリ型光源とを有する内視鏡において、
前記バッテリ型光源のバッテリ収納蓋がバッテリ型光源本体に水密的に取り付けた装着状態の時のみ前記バッテリ型光源が前記内視鏡本体に接続・固定される接続機構を設けているので、内視鏡検査後に引き続いて消毒液中に浸漬して消毒する場合にも、水密状態か否かの確認を行わないで、そのまま消毒液中に浸漬して消毒してもバッテリ収納蓋は水密的な装着状態であるので、漏電させたり、接触不良等を発生することを確実に防止できる。
【図面の簡単な説明】
【図１】本発明の第１の実施の形態の内視鏡の全体構成を示す斜視図。
【図２】内視鏡本体の先端部の形状等を示す図。
【図３】対物レンズ系の構造を示す断面図。
【図４】図３の変形例における前レンズ部の構造を示す断面図。
【図５】バッテリ型光源を装着した装着状態でのライトガイド口金及びバッテリ型光源の構造を示す断面図。
【図６】図５のＡ−Ａ線、Ｂ−Ｂ線、Ｃ−Ｃ線断をそれぞれ示す図。
【図７】内視鏡本体のライトガイド口金にバッテリ型光源を装着する様子を示す側面図。
【図８】図７のＥ−Ｅ線、Ｆ−Ｆ線断面をそれぞれ示す図。
【図９】内視鏡本体のライトガイド口金にバッテリ型光源を装着した状態を示す側面図。
【図１０】ランプホルダ取付位置でのその周辺を含めた構造を示す断面図。
【図１１】ランプホルダ取り外し位置でのその周辺を含めた構造を示す断面図。
【図１２】ランプホルダの機能を示すための展開図。
【図１３】挿入部を狭い管腔内に挿入して観察する様子を示す図。
【図１４】湾曲部の保護チューブの作用の説明図。
【図１５】本発明の第２の実施の形態におけるバッテリ型光源を装着した装着状態でのライトガイド口金及びバッテリ型光源の一部の構造を示す断面図。
【符号の説明】
１…内視鏡
２…内視鏡本体
３…バッテリ型光源
４…ライトガイドケーブル
５…挿入部
６…操作部
８…ライトガイド口金
９…接続ソケット
１０…先端部
２１…ライトガイドファイバ
２２…ランプ
２４…対物レンズ系
３４…バッテリ型光源本体
３５…ランプホルダ
３６…バッテリ
３７…バッテリ収納部
３８…バッテリ収納蓋
３９…ランプホルダ収納部
４１…スイッチケース
４２，５２，８４，８８…Ｏリング
８１…クリックリング
８２…クリック凸部
８５…ねじ込みロッド
８７…蓋固定ダイヤル
８９…ダイヤル係入部
【図１】
0003704413.tif 000002
【図２】
0003704413.tif 000003
【図３】
0003704413.tif 000004
【図４】
0003704413.tif 000005
【図５】
0003704413.tif 000006
【図６】
0003704413.tif 000007
【図７】
0003704413.tif 000008
【図８】
0003704413.tif 000009
【図９】
0003704413.tif 000010
【図１０】
0003704413.tif 000011
【図１１】
0003704413.tif 000012
【図１２】
0003704413.tif 000013
【図１３】
0003704413.tif 000014
【図１４】
0003704413.tif 000015
【図１５】
0003704413.tif 000016